(57)【要約】【課題】複数の作業者が踏切しゃ断機を安全かつ容易に保持しながら運搬したり、設置作業をしたりできる踏切しゃ断機の保持構造を提供する。【解決手段】踏切しゃ断機１の保持構造３０は、線路の踏切に設置される踏切しゃ断機１の基体１０を保持して持ち上げる際に使用され、踏切しゃ断機１の基体１０に着脱可能なグリップ３１と、踏切しゃ断機１の基体１０の複数箇所に設けられた、グリップ３１を装着する装着部３２と、から成り、複数の装着部３２は、該複数の装着部３２に装着した複数のグリップ３１を持ち上げて保持したときに踏切しゃ断機１の基体１０のバランスが取れる保持位置に設けられている。【選択図】図１
2008296727.tif 000002
【特許請求の範囲】
【請求項１】
線路の踏切に設置される踏切しゃ断機の基体を保持して持ち上げる際に使用する踏切しゃ断機の保持構造において、
前記踏切しゃ断機の基体に着脱可能なグリップと、前記踏切しゃ断機の基体の複数箇所に設けられた、前記グリップを装着する装着部と、から成り、
前記複数の装着部は、該複数の装着部に装着した複数のグリップを持ち上げて保持したときに前記踏切しゃ断機の基体のバランスが取れる保持位置に設けられたことを特徴とする踏切しゃ断機の保持構造。
【請求項２】
前記装着部は、内面にねじが切られたねじ穴であり、
前記グリップは、前記装着部のねじ穴に螺合するように外面にねじが切られた装着ねじ部を有するものであることを特徴とする請求項１に記載の踏切しゃ断機の保持構造。
【請求項３】
前記請求項１または請求項２に記載の保持構造を有することを特徴とする踏切しゃ断機。
【発明の詳細な説明】
【技術分野】
【０００１】
本発明は、線路の踏切に設置される踏切しゃ断機の基体を保持して持ち上げる際に使用する踏切しゃ断機の保持構造および該保持構造を有する踏切しゃ断機に関する。
【背景技術】
【０００２】
従来から踏切しゃ断機は重量が大きく、また、特許文献１に記載されているような一般的な形状を有する踏切しゃ断機は、設置作業などのために複数の作業者が安全確実に基体を保持しながら運搬などをできるような形状ではなかった。このため、踏切しゃ断機を設置するときには設置場所近くの線路の近傍まで運搬車で運んでから、トラック搭載型クレーンで吊り上げて運搬車から降ろしたり、設置に必要な作業を行ったりしていた。
【０００３】
【特許文献１】特開２００３−１７０８３２号公報
【発明の開示】
【発明が解決しようとする課題】
【０００４】
しかしながら、線路近傍でのクレーンの使用には、クレーンが架線や列車に接触するおそれがあるので多大に慎重な作業をしなければならず、作業性に問題点があった。
【０００５】
また、踏切しゃ断機を不安定な箇所で吊らなければならない場合もあり、その場合には踏切しゃ断機の落下や損傷等のおそれがあるので作業性に同様の問題点があった。
【０００６】
本発明は、このような従来の技術が有する問題点に着目してなされたもので、複数の作業者が踏切しゃ断機を安全かつ容易に保持しながら運搬したり、設置作業をしたりできる踏切しゃ断機の保持構造および該保持構造を有する踏切しゃ断機を提供することを目的としている。
【課題を解決するための手段】
【０００７】
かかる目的を達成するための本発明の要旨とするところは、次の各項の発明に存する。
［１］  線路の踏切に設置される踏切しゃ断機（１）の基体（１０）を保持して持ち上げる際に使用する踏切しゃ断機（１）の保持構造（３０）において、
前記踏切しゃ断機（１）の基体（１０）に着脱可能なグリップ（３１）と、前記踏切しゃ断機（１）の基体（１０）の複数箇所に設けられた、前記グリップ（３１）を装着する装着部（３２）と、から成り、
前記複数の装着部（３２）は、該複数の装着部（３２）に装着した複数のグリップ（３１）を持ち上げて保持したときに前記踏切しゃ断機（１）の基体（１０）のバランスが取れる保持位置に設けられたことを特徴とする踏切しゃ断機（１）の保持構造（３０）。
【０００８】
［２］  前記装着部（３２）は、内面にねじが切られたねじ穴（３２）であり、
前記グリップ（３１）は、前記装着部（３２）のねじ穴（３２）に螺合するように外面にねじが切られた装着ねじ部（３１ａ）を有するものであることを特徴とする［１］に記載の踏切しゃ断機（１）の保持構造（３０）。
【０００９】
［３］  前記［１］または［２］に記載の保持構造（３０）を有することを特徴とする踏切しゃ断機（１）。
【００１０】
前記本発明は次のように作用する。  
線路の踏切に設置される踏切しゃ断機（１）は、運ばれてきた運搬車からトラック搭載型クレーンによって降ろされる。運搬車から降ろされる地点は、踏切のできるだけ近くではあるがクレーンが架線や列車に接触するおそれのない十分に離れた地点である。
【００１１】
運搬車上の踏切しゃ断機（１）は、踏切しゃ断機（１）に取り付けた吊りボルト（４０）にワイヤーを掛け、そのワイヤーをクレーンに掛けて運搬車から吊り上げ、地面に降ろす。その後、踏切しゃ断機（１）の基体（１０）の複数箇所に設けられた装着部（３２）にグリップ（３１）を装着する。
【００１２】
複数の装着部（３２）は、それら複数の装着部（３２）に装着した複数のグリップ（３１）を持ち上げて保持したときに踏切しゃ断機（１）の基体（１０）のバランスが取れる保持位置に設けられている。このため、複数の作業者でグリップ（３１）を持ち上げて、安全かつ容易に踏切しゃ断機（１）を保持しながら運搬したり、設置作業をしたりすることができる。作業中に踏切しゃ断機（１）を移動したり持ち上げたりする必要がなくなったときには、踏切しゃ断機（１）の基体（１０）からグリップ（３１）を取り外せばよい。
【００１３】
装着部（３２）は内面にねじの切られたねじ穴（３２）であり、グリップ（３１）は装着部（３２）のねじ穴（３２）に螺合するように外面にねじが切られた装着ねじ部（３１ａ）を有するものであるときは、グリップ（３１）の装着ねじ部（３１ａ）を踏切しゃ断機（１）の基体（１０）のねじ穴（３２）に捩じ込むだけで容易かつ確実にグリップ（３１）を踏切しゃ断機（１）の基体（１０）に装着することができる。また、装着したグリップ（３１）は、取り付けたときとは逆方向に捩じって回すだけで容易に取り外すことができる。グリップ（３１）は、例えば棒状で一端部が装着ねじ部（３１ａ）として形成されたものである。
【００１４】
以上のような保持構造（３０）を有する踏切しゃ断機（１）は、その設置に際してクレーンが架線や列車に接触するおそれのない所で踏切しゃ断機（１）を運搬車から降ろし、作業者によって設置場所まで運搬し、設置作業をすることが容易にできる。
【発明の効果】
【００１５】
本発明にかかる踏切しゃ断機の保持構造によれば、踏切しゃ断機の基体を複数の人手によって運搬をする際に、踏切しゃ断機の基体の複数箇所に設けた装着部に適宜にグリップを装着することにより、複数の作業者はそのグリップを持って踏切しゃ断機の基体をバランスが取れた状態で安全かつ容易に保持しながら運搬したり、設置作業をしたりすることができる。
【００１６】
また、踏切しゃ断機の基体をバランスが取れた状態で安全かつ容易に保持しながら運搬できることにより、踏切しゃ断機の基体を運搬車からクレーンによって降ろす作業をクレーンが架線や列車に接触しない線路から十分に離れた場所で行っても、設置場所までの運搬の際に人手にかかる負担を軽減することができる。
【発明を実施するための最良の形態】
【００１７】
以下、図面に基づき本発明の好適な実施の形態を説明する。  
図１は、本発明の実施の形態に係る保持構造を有する踏切しゃ断機の正面図である。図２は、本発明の実施の形態に係る保持構造を有する踏切しゃ断機の右側面図である。
【００１８】
踏切しゃ断機１は、鉄道の線路の踏切に設置されるものである。踏切しゃ断機１は、基体１０と該基体１０に取り付けられたしゃ断かん２０とから構成されている。
【００１９】
基体１０は、その外側の正面にしゃ断かん２０を保持するためのしゃ断かん保持部材１１を備えており、両側面には基体１０を保持して持ち上げる際に使用する保持構造３０を有している。また、基体１０は、その頂上部に吊りボルト４０，４０を着脱することができる。この吊りボルト４０，４０は、クレーンで吊り上げる際にワイヤーを通すためのリング状頭部４１を有するものである。基体１０は、軽量化のためにアルミ鋳物とすることが好ましい。
【００２０】
一方、基体１０の内部には、図示を省略した、しゃ断かん２０を起倒させるための動力源となるモータ、該モータの回転を減速して伝達する減速機構などが配設されている。減速機構を介して伝達されたモータの回転は、図２に示した回転軸１５に伝達されるようになっている。回転軸１５は、基体１０の外側に突き出た一端部に前記のしゃ断かん保持部材１１が固定されている。これにより、しゃ断かん保持部材１１は、回転軸１５の回転とともに両方向（矢印Ａ方向および矢印Ａ方向と逆の方向）に回転させることができる。これにより、しゃ断かん保持部材１１に取り付けられたしゃ断かん２０は、倒れて踏切を遮断している位置から上昇して踏切を開放する方向（矢印Ａ方向）および上昇した起立位置から下降する方向（矢印Ａ方向とは反対の方向）に起倒させることができる。
【００２１】
しゃ断かん保持部材１１は、しゃ断かん２０を挿入して取り付けるための筒状のバーホルダ１２を有している。バーホルダ１２は、回転軸１５から離れた位置で回転軸１５の延びる方向と略直交する方向に延設されており、例示したものは断面が五角形を有するものである。バーホルダ１２内の底部１２ａには、挿入したしゃ断かん２０の端部を載せるとともに、しゃ断かん２０をバーホルダ１２の内壁に押し付けて固定するためのしゃ断かん固定部材１３が配設されている。しゃ断かん固定部材１３は、バーホルダ１２の外側からバーホルダ１２を貫通したボルト１４を締めることによってしゃ断かん２０を底部１２ａと対面する側の内壁に押し付けて固定することができ、ボルト１４を緩めることによってしゃ断かん２０への押圧を緩めてしゃ断かん２０をバーホルダ１２から取り外すことができる。
【００２２】
保持構造３０は、踏切しゃ断機１の基体１０に着脱可能な複数本のグリップ３１と、踏切しゃ断機１の基体１０の複数箇所に設けられた、グリップ３１を装着するための装着部３２とから構成されている。
【００２３】
図３に示すように、グリップ３１は、断面が六角形の金属製の棒状のものであり、レンチで回すことができる。また、装着部３２に装着する端部には外面にねじの切られた装着ねじ部３１ａを有している。一方、基体１０側の複数の装着部３２は、グリップ３１の装着ねじ部３１ａと螺合するように内面にねじが切られたねじ穴３２である。
【００２４】
複数の装着部３２は、それらに複数のグリップ３１を装着して踏切しゃ断機１の基体１０を持ち上げて保持したときに基体１０のバランスが取れる保持位置に配設されている。図示した例では、踏切しゃ断機１の基体１０の両側面それぞれに一対の装着部３２，３２が配設されている。一対の装着部３２，３２は、いずれも同じ高さにあり、踏切しゃ断機１の高さの中央付近にある。また、いずれも側面を縦断する中心線からほぼ同距離離れた位置にある。
【００２５】
なお、複数の装着部３２は、基体１０にグリップ３１を装着して持ち上げたときにバランスの取れる位置に配設するので、踏切しゃ断機１の種類が異なり、基体１０の重心の位置が異なれば装着部３２を設ける最適な保持位置も異なる。また、装着部３２を設ける保持位置は、基体１０の両側面ではなく、正面と背面であってもよいし、両側面、正面および背面のそれぞれであってもよい。
【００２６】
さらに、複数の装着部３２に装着するグリップ３１の長さや形状等は、基体１０の外郭形状に応じて踏切しゃ断機１の種類ごとに適宜なものにすればよい。
【００２７】
次に作用を説明する。  
運搬車に載せて運んできた踏切しゃ断機１を線路の踏切に設置するときは、踏切のできるだけ近くではあるがクレーンが架線や列車に接触するおそれのない、架線や線路から十分に離れた地点で踏切しゃ断機１を運搬車から降ろす。この際、踏切しゃ断機１の基体１０の頂上部に吊りボルト４０，４０を２つ取り付けて、吊りボルト４０，４０それぞれのリング状頭部４１，４１にワイヤーを掛け、そのワイヤーをクレーンに掛けて吊り上げるようにして運搬車から地面に降ろす。
【００２８】
地面に降ろした基体１０から吊りボルト４０，４０を取り外すとともに、基体１０の両側面の各装着部３２にグリップ３１を装着する。装着部３２へのグリップ３１の装着は、グリップ３１の装着ねじ部３１ａを基体１０の装着部３２に捩じ込んで螺合させるだけで容易かつ確実に行うことができる。
【００２９】
このように装着したグリップ３１を複数の作業者によって持ち上げたとき、基体１０はバランスが取れているので、基体１０を踏切の設置場所まで安全かつ容易に運搬し、設置作業をすることができる。設置場所に到着して、設置作業中に基体１０を移動したり持ち上げたりする必要がなくなったときには、グリップ３１は、取り付けたときとは逆方向に捩じって回すだけで容易に基体１０から取り外すことができる。このようにして、設置場所に固設した基体１０のバーホルダ１２にしゃ断かん２０を取り付ければよい。
【００３０】
以上のような保持構造３０を有する踏切しゃ断機１は、その設置に際して架線や線路から十分に離れ、クレーンが架線や列車に接触するおそれのない場所で運搬車から降ろして作業者によって設置場所まで運搬する運搬作業を安全かつ能率よく行うことができ、また、設置作業などが容易にできる。
【図面の簡単な説明】
【００３１】
【図１】本発明の実施の形態に係る保持構造を有する踏切しゃ断機の正面図である。
【図２】本発明の実施の形態に係る保持構造を有する踏切しゃ断機の右側面図である。
【図３】本発明の実施の形態に係る保持構造を構成するグリップの側面図である。
【符号の説明】
【００３２】
１…踏切しゃ断機
１０…基体
１１…しゃ断かん保持部材
１２…バーホルダ
１２ａ…底部
１３…しゃ断かん固定部材
１４…ボルト
１５…回転軸
２０…しゃ断かん
３０…保持構造
３１…グリップ
３１ａ…装着ねじ部
３２…装着部（ねじ穴）
４０…吊りボルト
４１…リング状頭部
【図１】
2008296727.tif 000003
【図２】
2008296727.tif 000004
【図３】
2008296727.tif 000005